(57)【特許請求の範囲】
【請求項１】
光学的情報が記録された記録面にて反射した反射光を結像する結像レンズと、
前記結像レンズの光路を挾んで配置された第１および第２の照明レンズと、
前記第１の照明レンズに光を出射する第１の光源と、
前記第２の照明レンズに光を出射する第２の光源と、を備えており、前記第１の照明レンズが前記第１の光源から出射した光を拡散して前記光学的情報を照明するとともに、前記第２の照明レンズが前記第２の光源から出射した光を拡散して前記光学的情報を照明するように構成された光学的情報読取装置であって、
前記第１の照明レンズのうち前記光路側の端部には、前記第１の光源の出射角の範囲内で前記第１の光源から出射した光の一部を、前記第１の照明レンズ側に位置する前記光路の境界に沿って進むように屈折させる第１の屈折部が設けられており、
前記第２の照明レンズのうち前記光路側の端部には、前記第２の光源の出射角の範囲内で前記第２の光源から出射した光の一部を、前記第２の照明レンズ側に位置する前記光路の境界に沿って進むように屈折させる第２の屈折部が設けられてなることを特徴とする光学的情報読取装置。
【請求項２】
前記第１および第２の屈折部から出射する光の出射角は、それぞれ前記結像レンズの画角の１／２であることを特徴とする請求項１に記載の光学的情報読取装置。
【請求項３】
前記第１の光源と前記第１の屈折部との間には、前記第１の光源から出射した光の一部を前記第１の屈折部に案内する第１の案内部材が設けられており、
前記第２の光源と前記第２の屈折部との間には、前記第２の光源から出射した光の一部を前記第２の屈折部に案内する第２の案内部材が設けられてなることを特徴とする請求項１または請求項２に記載の光学的情報読取装置。
【発明の詳細な説明】
【技術分野】
【０００１】
この発明は、バーコードなどの一次元コードあるいはＱＲコードなどの２次元コードに代表される光学的情報を読取る光学的情報読取装置に関する。
【背景技術】
【０００２】
従来、この種の光学的情報読取装置として、特開２００５−８５２１４号公報（特許文献１）に記載のものが知られている。このものは、光学的情報に対して読取範囲を示すためのマーカ光を照射するマーカ光照射手段およびその前部に配置された投光用レンズを備えており、スポット光からなるマーカ光を照射するようになっている。
【０００３】
【特許文献１】特開２００５−８５２１４号公報（第１３段落、図４）
【発明の開示】
【発明が解決しようとする課題】
【０００４】
しかし、上記従来のものは、マーカ光を照射するための専用の装置が必要であり、そのことが光学的情報読取装置の製造コスト上昇の要因となっている。
【０００５】
この発明は、上述の課題を解決するためになされたものであり、マーカ光を照射するための専用の装置を用いなくても光学的情報の読取範囲を識別できるようにすることにより、製造コスト上昇を抑制することができる光学的情報読取装置を実現することを目的とする。
【課題を解決するための手段】
【０００６】
この発明は、上記目的を達成するため、請求項１に記載の発明では、光学的情報（Ｃ１）が記録された記録面にて反射した反射光を結像する結像レンズ（４０）と、前記結像レンズの光路（Ｒ１，Ｒ２）を挾んで配置された第１および第２の照明レンズ（２０，３０）と、前記第１の照明レンズ（２０）に光を出射する第１の光源（５０，５０）と、前記第２の照明レンズ（３０）に光を出射する第２の光源（５１，５１）と、を備えており、前記第１の照明レンズが前記第１の光源から出射した光（Ｌ１）を拡散して前記光学的情報を照明するとともに、前記第２の照明レンズが前記第２の光源から出射した光（Ｌ２）を拡散して前記光学的情報を照明するように構成された光学的情報読取装置（１０）であって、前記第１の照明レンズのうち前記光路側の端部には、前記第１の光源の出射角の範囲内で前記第１の光源から出射した光の一部を、前記第１の照明レンズ側に位置する前記光路の境界に沿って進むように屈折させる第１の屈折部（２２）が設けられており、前記第２の照明レンズのうち前記光路側の端部には、前記第２の光源の出射角の範囲内で前記第２の光源から出射した光の一部を、前記第２の照明レンズ側に位置する前記光路の境界に沿って進むように屈折させる第２の屈折部（３２）が設けられてなるという技術的手段を用いる。
【０００７】
請求項２に記載の発明では、請求項１に記載の光学的情報読取装置（１０）において、前記第１および第２の屈折部（２２，３２）から出射する光の出射角（β）は、それぞれ前記結像レンズの画角（α）の１／２であるという技術的手段を用いる。
【０００８】
請求項３に記載の発明では、請求項１または請求項２に記載の光学的情報読取装置（１０）において、前記第１の光源（５０）と前記第１の屈折部（２９）との間には、前記第１の光源から出射した光の一部を前記第１の屈折部に案内する第１の案内部材（２７）が設けられており、前記第２の光源（５１）と前記第２の屈折部（３９）との間には、前記第２の光源から出射した光の一部を前記第２の屈折部に案内する第２の案内部材（３７）が設けられてなるという技術的手段を用いる。
【０００９】
なお、上記括弧内の符号は、後述する発明の実施形態において記載されている符号と対応するものである。
【発明の効果】
【００１０】
（請求項１に係る発明の作用）
第１の光源から出射した光は、第１の照明レンズによって拡散され、光学的情報の読取範囲を照明し、第２の光源から出射した光は、第２の照明レンズによって拡散され、光学的情報の読取範囲を照明する。
また、第１の光源の出射角の範囲内で第１の光源から出射した光の一部は、第１の照明レンズのうち結像レンズの光路側の端部に設けられた第１の屈折部において屈折され、第１の照明レンズ側に位置する光路の境界に沿って進む。そして、その境界に沿って進んだ光は、第１の照明レンズ側に位置する読取範囲の端部に照射される。これにより、第１の照明レンズ側に位置する読取範囲の端部には、第１の照明レンズによって拡散されて照射される光に加えて、第１の屈折部によって屈折された光も照射されるため、第１の照明レンズ側に位置する読取範囲の端部における照度が端部以外の部分における照度よりも高くなる。つまり、第１の照明レンズ側に位置する読取範囲の端部における照度が端部以外の部分よりも明るくなるため、その端部の位置を識別することができる。
【００１１】
また、第２の光源の出射角の範囲内で第２の光源から出射した光の一部は、第２の照明レンズのうち結像レンズの光路側の端部に設けられた第２の屈折部において屈折され、第２の照明レンズ側に位置する光路の境界に沿って進む。そして、その境界に沿って進んだ光は、第２の照明レンズ側に位置する読取範囲の端部に照射される。これにより、第２の照明レンズ側に位置する読取範囲の端部には、第２の照明レンズによって拡散されて照射される光に加えて、第２の屈折部によって屈折された光も照射されるため、第２の照明レンズ側に位置する読取範囲の端部における照度が端部以外の部分における照度よりも高くなる。つまり、第２の照明レンズ側に位置する読取範囲の端部における照度が端部以外の部分よりも明るくなるため、その端部の位置を識別することができる。
【００１２】
（請求項１に係る発明の効果）
光学的情報の読取範囲の両端部を両端部以外の部分よりも明るく照明することができるため、読取範囲を識別することができる。
従って、マーカ光を照射するための専用の装置を用いなくても光学的情報の読取範囲を識別できるため、光学的情報読取装置の製造コスト上昇を抑制することができる。
【００１３】
（請求項２に係る発明の作用）
第１および第２の照明レンズは、結像レンズの光路を挾んで配置されており、さらに、第１および第２の屈折部から出射する光の出射角は、それぞれ結像レンズの画角の１／２になっている。
このため、第１および第２の屈折部から出射した光は、それぞれ結像レンズの光路の境界に沿って進み、それぞれ読取範囲の端部に照射される。
【００１４】
（請求項２に係る発明の効果）
第１および第２の屈折部から出射する光の出射角を、それぞれ結像レンズの画角の１／２になるように第１および第２の屈折部を設計することにより、第１および第２の屈折部から出射した光をそれぞれ読取範囲の端部に照射し、読取範囲の両端の照明を明るくすることができる。
【００１５】
（請求項３に係る発明の作用）
第１の光源から出射した光の一部は、第１の案内部材によって第１の屈折部に案内され、第１の屈折部によって屈折され、読取範囲の一方の端部に照射される。また、第２の光源から出射した光の一部は、第２の案内部材によって第２の屈折部に案内され、第２の屈折部によって屈折され、読取範囲の他方の端部に照射される。
【００１６】
（請求項３に係る発明の効果）
第１および第２の光源から出射した光の一部は、それぞれ第１および第２の案内部材によって対応する屈折部へ案内されるため、光源から出射した光の一部を効率良く屈折部へ案内することができる。
従って、光学的情報の読取範囲の両端部をより一層明るく照明することができるため、読取範囲の識別性を高めることができる。
【発明を実施するための最良の形態】
【００１７】
＜第１実施形態＞
この発明に係る実施形態について図を参照しながら説明する。
以下の各実施形態では、この発明に係る光学的情報読取装置として、光学的情報としてのバーコードを読取るバーコードリーダを代表に説明する。なお、バーコードとは、ＥＡＮ／ＵＰＣ、インターリーブド２オブ５、コーダバー、コード３９／１２８、スタンダード２オブ５、ＲＳＳなどの１次元コードを意味する。
【００１８】
［主要構成］
この実施形態に係るバーコードリーダの主要構成について図を参照しながら説明する。図１は、この実施形態に係るバーコードリーダの一部内部構造を示す説明図であり、図２は、図１に示すバーコードリーダの一部内部構造を示す平面図である。
【００１９】
バーコードリーダ１０は、ガンタイプであり、ハウジング１１と、このハウジング１１の下部に取付けられたグリップ１２とを備える。グリップ１２は、人が片手で握ることができる大きさ及び形状に形成されており、グリップ１２の前面には、バーコードの読取開始を指示するためのトリガースイッチ１３が設けられている。トリガースイッチ１３は、グリップ１２を握った手の主として人差し指によって引く操作をできる位置に配置されている。トリガースイッチ１３を引くと、グリップ１２の内部に配置された読取開始スイッチ（図示せず）がオンし、バーコードの読取りが開始される。
【００２０】
ハウジング１１の前面には、読取口１１ａが開口形成されている。読取口１１ａからは、バーコードを照明するための照明光が出射され、さらに、バーコードの記録面にて反射した反射光が入射される。ハウジング１１の内部には、カメラモジュール１５および回路基板１４が設けられている。
【００２１】
図２に示すように、カメラモジュール１５には、バーコードＣ１（図２）の記録面を照明するための第１の光源５０および第２の光源５１と、第１の光源５０から出射した光を拡散してバーコードＣ１の記録面上を照明するための第１の照明レンズ２０と、第２の光源５１から出射した光を拡散してバーコードＣ１の記録面上を照明するための第２の照明レンズ３０と、結像レンズ４０とが設けられている。
【００２２】
また、図１に示すように、カメラモジュール１５には、結像レンズ４０の後方に配置された光学的センサ６０が設けられている。結像レンズ４０は、バーコードＣ１の記録面にて反射した反射光を光学的センサ６０の受光部上に結像する。光学的センサ６０は、受光部上で結像した像を１次元または２次元の撮像画像として電気的に検出する。また、光学的センサ６０は、例えば、ＣＣＤ(Charge Coupled Device)を２次元（縦横）に配列してなるＣＣＤイメージセンサ、あるいは、Ｃ−ＭＯＳ(Complementary Metal Oxide Semiconductor)を２次元（縦横）に配列してなるＣ−ＭＯＳイメージセンサなどの２次元イメージセンサにより構成される。
【００２３】
また、図示しないが、回路基板１４には、光学的センサ６０から出力されたアナログ信号を明暗に対応した２値化信号に変換するＡ／Ｄ変換回路、このＡ／Ｄ変換回路から出力された２値化信号を計数して明暗の幅値を算出し、その算出した幅値の並びに基づいてバーコードの情報を読取る回路などが搭載されている。
【００２４】
図２に示すように、第１の照明レンズ２０および第２の照明レンズ３０は、結像レンズ４０の光路Ｒを挾んで配置されている。第１の照明レンズ２０は、光路Ｒの左側の境界Ｒ１の外側に配置されており、第２の照明レンズ３０は、光路Ｒの右側の境界Ｒ２の外側に配置されている。
第１の光源５０は、第１の照明レンズ２０の後方に配置されており、第２の光源５１は、第２の照明レンズ３０の後方に配置されている。この実施形態では、第１および第２の光源は、それぞれ２個１組のＬＥＤから構成されており、各ＬＥＤの配列方向は、結像レンズ４０の光軸Ｈ１に対して垂直になっている。また、白色、赤色、青色などの発光色のうちいずれかを発光するＬＥＤを選択して用いるが、この実施形態では、赤色光を出射する赤色ＬＥＤを第１および第２の光源５０，５１として用いる。
【００２５】
［照明レンズの構造］
ここで、第１の照明レンズ２０および第２の照明レンズ３０の構造について図３を参照して説明する。図３は、第１の照明レンズの構造を示す説明図であり、（ａ）は第１の照明レンズを上方から見た平面図、（ｂ）は（ａ）の左側面図、（ｃ）は（ａ）の右側面図である。
なお、第１および第２の照明レンズは、同一形状であるため、ここでは第１の照明レンズを代表にして説明する。
【００２６】
第１の照明レンズ２０は、レンチキュラープレートを用いており、この実施形態では、横長の板状に形成されている。第１の照明レンズ２０は、前面２３が凸レンズに形成されており、後面２１には、前面２３から出射する照明光の照度分布を均一化するためのレンチキュラーレンズが一面に形成されている。なお、レンチキュラーレンズを構成する凹凸は微小であるため、図示していない。
【００２７】
第１の照明レンズ２０の右側面２５、つまり結像レンズ４０の光路Ｒ側の端部には、第１の光源５０の出射角の範囲内で第１の光源５０から出射した照明光Ｌ１の一部を、第１の照明レンズ２０側に位置する光路Ｒの境界Ｒ１に沿って進むように屈折させる第１の屈折部２２が形成されている。この実施形態では、第１の照明レンズ２０の光路Ｒ側の後方上下の角部を面取りすることによりプリズムを形成し、そのプリズムを第１の屈折部２２として用いている。
同様に第２の照明レンズ３０も図２に示すように、光路Ｒ側の後方上下の角部を面取りすることによりプリズムを形成し、そのプリズムを第２の屈折部３２として用いている。また、第１および第２の照明レンズ２０，３０は、結像レンズ４０の光軸Ｈ１を中心にして線対称の形状に形成されている。
【００２８】
図４は、結像レンズ４０の画角と、第１の屈折部２２によって屈折され第１の照明レンズ２０の前面２３から出射する照明光の出射角との関係を示す説明図である。
結像レンズ４０の画角をα、第１の屈折部２２によって屈折され第１の照明レンズ２０の前面２３から出射する照明光の出射角をβとすると、出射角βは、画角αの（１／２）に設定されている。
つまり、第１の光源５０から出射し、第１の照明レンズ２０の第１の屈折部２２に入射して屈折した照明光は、さらに前面２３にて屈折し、出射角βで出射し、光路Ｒの左側の境界Ｒ１に沿って進む。
【００２９】
図５は、プリズムにおける入射角および屈折角を示す説明図である。入射角をｉ、屈折角をｒ、入射光側の物質の絶対屈折率をｎｉ、屈折光側の物質の絶対屈折率をｎｒとすると、プリズムにおける入射角に対する屈折角は、ｎｉ・ｓｉｎ（ｉ）＝ｎｒ・ｓｉｎ（ｒ）で示される。つまり、プリズムを用いた第１の屈折部２２を通過して前面２３から出射する照明光の出射角βが、画角αの（１／２）となるように第１の屈折部２２を形成する材質を選定し、プリズムのカット面（符号２２で示す面）の角度を計算する。なお、第２の照明レンズ３０についても同様である。また、第１および第２の照明レンズをそれぞれ合成樹脂またはガラスにより形成し、第１および第２の屈折部も同じ材料により形成することができる。なお、屈折部は照明レンズと別個に製造し、公知の接合手段（例えば、接着剤など）により照明レンズに接合してもよい。さらに、屈折部は照明レンズと異なる材料により形成してもよい。
【００３０】
［照明レンズの作用］
第１の光源５０から出射した照明光Ｌ１の一部は、第１の照明レンズ２０の後面２１から入射し、後面２１に形成されたレンチキュラーレンズによって拡散される。そして、その拡散光は、前面２３に形成された凸レンズによって上下方向の高さ、つまりバーコードＣ１の読取範囲の高さを持った照明光に変化し、バーコードＣ１の読取範囲の主として左側に照射される。
また、第１の光源５０から出射した照明光Ｌ１の一部は、第１の照明レンズ２０の右端に形成された第１の屈折部２２に入射し、第１の屈折部２２を形成するプリズムによって屈折され、前面２３から出射角βで出射する。
【００３１】
そして、その出射光は、結像レンズ４０の光路Ｒの左側の境界Ｒ１に沿って進み、ガイド光Ｇ１となってバーコードＣ１の読取範囲の左側端部を照射する。これにより、バーコードＣ１の読取範囲Ｅの左側端部には、第１の照明レンズ２０によって拡散されて照射される照明光に加えて、第１の屈折部２２によって屈折された照明光も照射されるため、バーコードＣ１の読取範囲Ｅの左側端部における照度が両端部以外の部分における照度よりも高くなる。
【００３２】
第２の光源５１から出射した照明光Ｌ２の一部は、第２の照明レンズ３０の後面３１から入射し、後面３１に形成されたレンチキュラーレンズによって拡散される。そして、その拡散光は、前面３３に形成された凸レンズによって上下方向の高さ、つまりバーコードＣ１の読取範囲の高さを持った照明光に変化し、バーコードＣ１の読取範囲の主として右側に照射される。
また、第２の光源５１から出射した照明光Ｌ２の一部は、第２の照明レンズ２０の左端に形成された第２の屈折部３２に入射し、第２の屈折部３２を形成するプリズムによって屈折され、前面３３から出射角βで出射する。
【００３３】
そして、その出射光は、結像レンズ４０の光路Ｒの右側の境界Ｒ２に沿って進み、ガイド光Ｇ２となってバーコードＣ１の読取範囲の右側端部を照射する。これにより、バーコードＣ１の読取範囲Ｅの右側端部には、第２の照明レンズ３０によって拡散されて照射される照明光に加えて、第２の屈折部３２によって屈折された照明光も照射されるため、バーコードＣ１の読取範囲Ｅの右側端部における照度が両端部以外の部分における照度よりも高くなる。
【００３４】
［第１実施形態の効果］
（１）以上のように、第１実施形態のバーコードリーダ１０を使用すれば、バーコードＣ１の読取範囲Ｅの両端部における照度を両端部以外の部分よりも明るくすることができるため、読取範囲Ｅを識別することができる。
従って、マーカ光を照射するための専用の装置を用いなくても光学的情報の読取範囲を識別できるため、光学的情報読取装置の製造コスト上昇を抑制することができる。
【００３５】
（２）第１および第２の屈折部から出射する光の出射角βを、それぞれ結像レンズ４０の画角αの１／２になるように第１および第２の屈折部を設計することにより、第１および第２の屈折部から出射した光をそれぞれ読取範囲Ｅの端部に照射し、読取範囲Ｅの両端の照明を明るくすることができる。
【００３６】
＜変更例＞
次に、第１実施形態の変更例について図６および図７を参照して説明する。図６は図２に対応する平面図であり、図７は図３に対応する平面図である。
この変更例は、第１および第２の照明レンズの前面にプリズムを形成したことを特徴としている。なお、この変更例は、各照明レンズの構造以外は、第１実施形態のバーコードリーダ１０と同じ構成であるため、同じ構成については説明を省略する。
【００３７】
図７に示すように、第１の照明レンズ２０の右側面２５、つまり結像レンズ４０の光路Ｒ側の端部には、第１の光源５０の出射角の範囲内で第１の光源５０から出射した照明光Ｌ１の一部を、第１の照明レンズ２０側に位置する光路Ｒの境界Ｒ１に沿って進むように屈折させる第１の屈折部２６が形成されている。この実施形態では、第１の照明レンズ２０の光路Ｒ側の前方上下の角部を面取りすることによりプリズムを形成し、そのプリズムを第１の屈折部２６として用いている。
【００３８】
同様に第２の照明レンズ３０も図６に示すように、光路Ｒ側の前方上下の角部を面取りすることによりプリズムを形成し、そのプリズムを第２の屈折部３６として用いている。
また、第１の屈折部２６および第２の屈折部３６から出射する照明光の出射角βは、それぞれ結像レンズの画角αの（１／２）である。また、第２の照明レンズ３０は、結像レンズ４０の光軸Ｈ１を中心にして第１の照明レンズ２０と線対称の形状に形成されている。
以上のように、この変更例に係るバーコードリーダは、第１および第２の照明レンズにおける第１および第２の屈折部の形成位置が異なる以外は、第１実施形態のバーコードリーダと同じ構成を有し、同じ作用をするため、第１実施形態と同じ効果を奏することができる。
【００３９】
＜第２実施形態＞
次に、この発明の第２実施形態について図８および図９を参照して説明する。図８は図２に対応する説明図であり、図９は図３に対応する説明図である。
この実施形態は、第１および第２の照明レンズから出射した照明光をそれぞれ対応する屈折部に案内する案内部材を設けたことを特徴としている。なお、この実施形態は、案内部材を設けたこと以外は、第１実施形態のバーコードリーダ１０と同じ構成であるため、同じ構成については説明を省略する。
【００４０】
図８に示すように、第１の光源５０と第１の屈折部２９との間には、第１の光源５０から出射した照明光の一部を第１の屈折部２９に案内する第１の案内部材２７が設けられており、第２の光源５１と第２の屈折部３９との間には、第２の光源５１から出射した照明光の一部を第２の屈折部３９に案内する第２の案内部材３７が設けられている。各案内部材２７，３７は、それぞれ照明レンズ２０，３０と同じ材料または異なる材料により形成することができる。
【００４１】
図９に示すように、第１の案内部材２７は、くさび形状に形成されており、第１の屈折部２９と一体的に形成されている。第１の案内部材２７のうち、最も細くなった後端には、第１の光源５０から出射した照明光の一部を取込むための照明光取込部２８が形成されている。照明光取込部２８は、第１の光源５０から出射した照明光の一部を取込むために第１の光源５０の出射角範囲内に配置されている。
【００４２】
また、第１の案内部材２７において相対向する側壁２７ａ，２７ｂの間隔、照明光取込部２８から第１の屈折部２９までの間における各側壁間の間隔の広がり度合い、および第１の案内部材２７の第１の光源５０に対する配置角度は、照明光取込部２８から取込まれた照明光が、相対向する側壁２７ａ，２７ｂにおいて全反射し、側壁から外方へ漏れる光量が少なくなるように設計されている。つまり、各案内部材２７，３７は、導波管のような役割をしている。
【００４３】
第１の光源５０から出射した照明光の一部は、第１の案内部材２７の照明光取込部２８に取込まれ、その取込まれた照明光の一部は、第１の案内部材２７の相対向する側壁２７ａ，２７ｂにおいて全反射しながら第１の屈折部２９に入射する。つまり、照明光取込部２８に取込まれた照明光の一部は、第１の案内部材２７の側壁から殆ど漏れることなく、効率良く第１の屈折部２９に案内される。
【００４４】
そして、第１の屈折部２９に入射した照明光は、結像レンズ４０の画角αの（１／２）の出射角βで第１の屈折部２９を出射し、結像レンズ４０の光路Ｒの境界Ｒ１に沿って進み、バーコードＣ１の読取範囲Ｅの左端部を両端部以外の部分よりも明るい照度で照明する。また、第２の案内部材３７は、結像レンズ４０の光軸Ｈ１を中心にして第１の案内部材２７と線対称の形状に形成されている。
【００４５】
［第２実施形態の効果］
（１）以上のように、第２実施形態に係るバーコードリーダを使用すれば、第１および第２の光源５０，５１から出射した照明光の一部は、それぞれ第１および第２の案内部材２７，３７によって対応する屈折部２９，３９へ案内されるため、光源から出射した照明光の一部を効率良く屈折部２９，３９へ案内することができる。
従って、バーコードＣ１の読取範囲Ｅの両端部をより一層明るく照明することができるため、読取範囲Ｅの識別性を高めることができる。
【００４６】
（２）また、第１および第２の案内部材２７，３７が設けられていること以外は、第１実施形態のバーコードリーダと同じ構成を有するため、第１実施形態と同じ効果を奏することができる。
【００４７】
＜他の実施形態＞
（１）前述の各実施形態および変更例では、照明レンズの光路側の角部を１箇所だけ面取りして屈折部を形成したが、光路側の他の角部を面取りし、計２箇所の反射面を有するプリズム構造にすることもできる。また、３箇所以上の反射面を有するプリズム構造でもよい。
（２）この発明は、バーコードリーダの他、ＱＲコード、ＰＤＦ４１７、データマトリックス、マキシコード、ＲＳＳコンポジットなどの２次元コードの他、各種の光学的情報の読取りにも適用することができる。
【図面の簡単な説明】
【００４８】
【図１】第１実施形態に係るバーコードリーダの一部内部構造を示す説明図である。
【図２】図１に示すバーコードリーダの一部内部構造を示す平面図である。
【図３】第１の照明レンズの構造を示す説明図であり、（ａ）は第１の照明レンズを上方から見た平面図、（ｂ）は（ａ）の左側面図、（ｃ）は（ａ）の右側面図である。
【図４】結像レンズ４０の画角と、第１の屈折部２２によって屈折され第１の照明レンズ２０の前面２３から出射する照明光の出射角との関係を示す説明図である。
【図５】プリズムにおける入射角および屈折角を示す説明図である。
【図６】第１実施形態の変更例において図２に対応する平面図である。
【図７】図３に対応する平面図である。
【図８】第２実施形態において図２に対応する平面図である。
【図９】図３に対応する平面図である。
【符号の説明】
【００４９】
１０・・バーコードリーダ、２０・・第１の照明レンズ、２２・・第１の屈折部、
２７・・第１の案内部材、３０・・第２の照明レンズ、３２・・第２の屈折部、
３７・・第２の案内部材、４０・・結像レンズ、５０・・第１の光源、
５１・・第２の光源、α・・画角、β・・出射角。
【図１】
0004915321.tif 000002
【図２】
0004915321.tif 000003
【図３】
0004915321.tif 000004
【図４】
0004915321.tif 000005
【図５】
0004915321.tif 000006
【図６】
0004915321.tif 000007
【図７】
0004915321.tif 000008
【図８】
0004915321.tif 000009
【図９】
0004915321.tif 000010